(57)【要約】【課題】送信増幅器で、ピーク電力の抑圧により発生する平均電力の低下をシンボル単位で高精度に補正する。【解決手段】ゲイン制御部では、ピーク電力抑圧手段２が送信対象となる信号のピーク電力を抑圧し、第１の平均電力測定手段６、１、４がピーク電力抑圧手段の入力信号の平均電力をシンボル単位で測定し、第２の平均電力測定手段６、３、４がピーク電力抑圧手段の出力信号の平均電力をシンボル単位で測定し、ゲイン値計算手段４が２つの測定された平均電力の比をシンボル単位で計算して比に応じてゲイン値をシンボル単位で計算し、電力調整手段６、５が計算されたゲイン値に基づいてシンボル単位でゲイン値を切り替えてピーク電力抑圧手段の出力信号の電力を調整する。【選択図】  図１
2010154017.tif 000002
【特許請求の範囲】
【請求項１】
送信対象となる信号のピーク電力を抑圧して電力調整するゲイン制御部を有する送信増幅器において、
前記ゲイン制御部は、前記送信対象となる信号のピーク電力を抑圧するピーク電力抑圧手段と、
前記ピーク電力抑圧手段に入力される信号の平均電力をシンボル単位で測定する第１の平均電力測定手段と、
前記ピーク電力抑圧手段から出力される信号の平均電力をシンボル単位で測定する第２の平均電力測定手段と、
前記第１の平均電力測定手段により測定された平均電力と前記第２の平均電力測定手段により測定された平均電力との比をシンボル単位で計算し、計算された比に応じて平均電力補正のためのゲイン値をシンボル単位で計算するゲイン値計算手段と、
前記ゲイン値計算手段により計算されたシンボル単位のゲイン値に基づいて、シンボル単位で電力調整に使用するゲイン値を切り替えて、前記ピーク電力抑圧手段から出力された信号の電力を調整する電力調整手段と、を備えた、
ことを特徴とする送信増幅器。
【発明の詳細な説明】
【技術分野】
【０００１】
本発明は、例えば、直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式等を使用する移動体通信システムの送信増幅器（送信機の一種）に搭載されるゲイン制御部に関し、特に、ピーク電力の抑圧により発生する平均電力の低下をシンボル単位で高精度に補正する送信増幅器に関する。
【背景技術】
【０００２】
図７には、送信増幅器のゲイン制御部（ゲイン調整部）の構成例を示してある。
平均電力測定部１０１は、ピーク電力抑圧部１０２への入力信号（Ｉ、Ｑの送信信号）の平均電力（或いは、平均電力を求めるための情報）を例えば１フレーム単位の区間で測定する。ピーク電力抑圧部１０２は、入力信号のピーク電力を検出して指定のレベルまで抑圧し、ピーク電力対平均電力比（ＰＡＰＲ：Ｐｅａｋ  ｔｏ  Ａｖｅｒａｇｅ  Ｐｏｗｅｒ  Ｒａｔｉｏ）が低減された信号を出力する。
【０００３】
平均電力測定部１０３は、ピーク電力抑圧部１０２からの出力信号の平均電力（或いは、平均電力を求めるための情報）を例えば１フレーム単位の区間で測定する。ＣＰＵ（Ｃｅｎｔｒａｌ  Ｐｒｏｃｅｓｓｉｎｇ  Ｕｎｉｔ）１０４は、２個の平均電力測定部１０１、１０３からの情報に基づいて求められた平均電力値の比を計算し、電力調整部１０５に設定するゲイン値を求める。電力調整部１０５は、ＣＰＵ１０４が設定したゲイン値を送信信号に乗算し、ピーク電力抑圧部１０２の入出力の平均電力の差がなくなるように電力を調整する。
なお、２個の平均電力測定部１０１、１０３には、フレームが開始するタイミングを示すフレーム開始タイミング信号が入力される。
【０００４】
【特許文献１】特開２００４−１０４１６２号公報
【発明の開示】
【発明が解決しようとする課題】
【０００５】
しかしながら、ＯＦＤＭ等の送信増幅器には高い電力効率が求められ、そのための工夫としてプリディストーション歪補償技術やピーク電力抑圧技術がよく知られている。ここで、ピーク電力を抑圧した場合には、ＰＡＰＲが低減されて高い電力効率が得られる反面、ＥＶＭなどの変調精度の劣化や、平均電力の低下が問題となる。
【０００６】
このような平均電力の低下を補正するためには、ピーク電力抑圧部の入出力で平均電力を測定し、その比を計算して電力補正に用いるゲイン値を決定し、そのゲインをピーク電力抑圧部の出力信号にかければよい。しかしながら、信号の電力特性や相補累積分布関数（ＣＣＤＦ：Ｃｏｍｐｌｅｍｅｔａｒｙ  Ｃｕｍｕｌａｔｉｖｅ  Ｄｉｓｔｒｉｂｕｔｉｏｎ  Ｆｕｎｃｔｉｏｎ）特性がシンボル間で大きく異なるような信号を送信する場合には、従来技術に係るフレーム単位のゲイン調整方法では高精度のゲイン調整が難しかった。
【０００７】
例えば、ＯＦＤＭ方式を用いているＷｉＭＡＸ信号の場合を例として説明する。
ＷｉＭＡＸ信号のフレームの先頭に配置されるＰｒｅａｍｂｌｅ（プリアンブル）シンボルは、後ろに配置されるデータ・シンボルよりも高い平均電力を持つ。
ここで、１０ＭＨｚ帯域のＷｉＭＡＸテスト信号を例として、その電力特性を見てみる。このテスト信号は２９シンボルのダウンリンク・データで構成されており、その内訳は先頭から、Ｐｒｅａｍｂｌｅが１シンボルあり、残りの２８シンボルはデータ・シンボルで構成されている。
【０００８】
図８には、１キャリア（ｃａｒｒｉｅｒ）のＷｉＭＡＸテスト信号に対してシンボル毎に平均電力を計算した結果の一例を示してある。横軸はシンボルの番号（Ｓｙｍｂｏｌ  Ｎｏ．）を表しており、縦軸は平均電力（Ｐｏｗｅｒ［ｄＢｍ］）を表している。
図９には、１キャリアのＷｉＭＡＸテスト信号の時間対電力波形の一例を示してある。横軸は時間（Ｔｉｍｅ［ｍｓｅｃ］）を表しており、縦軸は電力（Ｐｏｗｅｒ［ｄＢｍ］）を表している。
ここで、シミュレーションに用いるＷｉＭＡＸテスト信号は符号付き１６ビットのデジタルＩＱデータであるが、２９シンボル全体の平均電力を４０ｄＢｍと仮定して平均電力をｄＢｍ値に換算している。
図８及び図９の結果を見ると、先頭の１シンボルのＰｒｅａｍｂｌｅシンボルはデータ・シンボルと比較して約４ｄＢ平均電力が高い。なお、図示してはいないが、このような電力特性は、ＷｉＭＡＸテスト信号を２キャリア合成した信号についても同じ結果となる。
【０００９】
図１０には、このＷｉＭＡＸテスト信号のダウンリンク・データの２９シンボル区間におけるＣＣＤＦ曲線を１キャリア信号と２キャリア信号で取得した結果の一例を示してある。横軸はＰＡＰＲ［ｄＢ］を表しており、縦軸はＰｒｏｂａｂｉｌｉｔｙ［％］を表している。１キャリアと２キャリアの場合でＣＣＤＦ曲線を比較してみると、２キャリアの場合にＰＡＰＲが高い領域でピーク電力の発生確率がやや大きくなる傾向が見られる。
【００１０】
図１１には、ＷｉＭＡＸテスト信号のＰｒｅａｍｂｌｅの１シンボルだけの区間におけるＣＣＤＦ曲線を１キャリア信号と２キャリア信号で取得した結果の一例を示してある。横軸はＰＡＰＲ［ｄＢ］を表しており、縦軸はＰｒｏｂａｂｉｌｉｔｙ［％］を表している。１キャリアのＣＣＤＦ曲線では、最大ピークにおいてもＰＡＰＲ＝４．０［ｄＢ］程度のレベルである。Ｐｒｅａｍｂｌｅの平均電力はデータ・シンボルと比較して約４ｄＢ高いことから、Ｐｒｅａｍｂｌｅプラス（＋）データ２９シンボルの平均電力に対するＰＡＰＲ値に換算すると、Ｐｒｅａｍｂｌｅの最大ピークはＰＡＰＲ＝８．０［ｄＢ］のレベルとなる。
【００１１】
つまり、Ｐｒｅａｍｂｌｅシンボルは、データ・シンボルと比較して平均電力は高いが、ピーク電力のレベルとしてはそれほど高くならないような信号パターンとなっており、ピーク電力抑圧のピーク検出閾値レベルが８．０ｄＢ以上であればピーク検出はされない。一方で、２キャリア信号のＣＣＤＦ曲線では最大ピークが６．６ｄＢまで上昇しており、Ｐｒｅａｍｂｌｅプラス（＋）データ２９シンボルの平均電力に対するＰＡＰＲ値に換算すると、Ｐｒｅａｍｂｌｅの最大ピークはＰＡＰＲ＝１０．６ｄＢのレベルとなる。つまり、２キャリア信号の場合には、Ｐｒｅａｍｂｌｅ区間にも、ＰＡＰＲ値が１０ｄＢを越えるような高いレベルのピーク電力が比較的高い確率で存在することになる。このように、２キャリア信号のＰｒｅａｍｂｌｅシンボルで発生するピーク電力のレベルが高くなった理由は、約０．１％の確率で発生するＰＡＰＲ＝８．０ｄＢのピーク電力が２キャリア合成時に同相合成されたことによる。
【００１２】
以上のシミュレーション実験で得られた電力特性とＣＣＤＦ特性の結果から、このＷｉＭＡＸテスト信号に対してピーク電力抑圧を行う場合に、次のことが想定される。
すなわち、１キャリア信号の場合には、ターゲットとするＰＡＰＲ値（通常はピーク電力の検出閾値に一致する）が８．０ｄＢ以上であれば、Ｐｒｅａｍｂｌｅシンボルではピーク電力が検出されず、データ・シンボルのみピーク電力抑圧される。また、ターゲットＰＡＰＲ値を８．０ｄＢ未満に設定すると、Ｐｒｅａｍｂｌｅシンボルでもピーク電力が検出され、平均電力の低下もピーク電力の抑圧量に伴って発生する。
一方で、２キャリア信号の場合には、データ・シンボルと比較してＰｒｅａｍｂｌｅシンボルにおけるピーク発生確率が非常に大きいため、ターゲットＰＡＰＲ値の大小にかかわらず、ピーク電力抑圧量がＰｒｅａｍｂｌｅシンボルで非常に大きくなる。従って、平均電力の低下量も、Ｐｒｅａｍｂｌｅシンボルではデータ・シンボルと比較して大きくなる。
【００１３】
以上に述べたことを確かめるために、計算機シミュレーションにより実際に１キャリアと２キャリアのＷｉＭＡＸテスト信号に対してピーク電力抑圧処理を施し、その平均電力の低下量を測定してみた。
図１２（ａ）には、１キャリア信号に対して、ターゲットＰＡＰＲ＝８．０ｄＢで、ピーク電力抑圧による平均電力低下量を求めた計算機シミュレーション結果の一例を示してある。具体的には、ピーク電力抑圧部の入力と出力の平均電力をＰｒｅａｍｂｌｅシンボルとデータ・シンボルの２つの区間でそれぞれ測定した結果とその差分である平均電力の低下量（ゲイン変動量）を示してある。
【００１４】
図１２（ｂ）には、１キャリア信号に対して、ターゲットＰＡＰＲ＝７．５ｄＢで、ピーク電力抑圧による平均電力低下量を求めた計算機シミュレーション結果の一例を示してある。具体的には、ピーク電力抑圧部の入力と出力の平均電力をＰｒｅａｍｂｌｅシンボルとデータ・シンボルの２つの区間でそれぞれ測定した結果とその差分である平均電力の低下量（ゲイン変動量）を示してある。
【００１５】
図１２（ｃ）には、２キャリア信号に対して、ターゲットＰＡＰＲ＝８．０ｄＢで、ピーク電力抑圧による平均電力低下量を求めた計算機シミュレーション結果の一例を示してある。具体的には、ピーク電力抑圧部の入力と出力の平均電力をＰｒｅａｍｂｌｅシンボルとデータ・シンボルの２つの区間でそれぞれ測定した結果とその差分である平均電力の低下量（ゲイン変動量）を示してある。
【００１６】
図１２（ｄ）には、２キャリア信号に対して、ターゲットＰＡＰＲ＝７．５ｄＢで、ピーク電力抑圧による平均電力低下量を求めた計算機シミュレーション結果の一例を示してある。具体的には、ピーク電力抑圧部の入力と出力の平均電力をＰｒｅａｍｂｌｅシンボルとデータ・シンボルの２つの区間でそれぞれ測定した結果とその差分である平均電力の低下量（ゲイン変動量）を示してある。
【００１７】
このようなシミュレーションによる実験結果を見てみると、１キャリア信号におけるピーク電力抑圧による平均電力低下量は、Ｐｒｅａｍｂｌｅシンボルよりもデータ・シンボルの方が大きい。一方で、２キャリア信号の場合には、逆にＰｒｅａｍｂｌｅシンボルの平均電力低下量がデータ・シンボルのそれと比較して非常に大きく、ターゲットＰＡＰＲ値によって平均電力低下量も大きく変化する結果となった。
【００１８】
以上のシミュレーション実験の結果でも示されたように、キャリア数やピーク電力抑圧のターゲットＰＡＰＲ値によって平均電力の低下量は大きく変化し、特にターゲットＰＡＰＲ値を低いレベルに設定してピーク電力抑圧量が大きくなる場合にシンボル単位でアダプティブに平均電力低下の補正を行うことが求められていた。従来技術に係るゲイン制御部では、フレーム単位でゲイン制御を実施していることから、シンボル間で平均電力の低下量が異なる場合に正しい補正ができないといった問題があった。
【００１９】
本発明は、このような従来の課題を解決するために為されたもので、シンボル単位の高精度なゲイン制御を行うことができ、これにより、例えば従来技術と比べて、より品質が高い送信信号を送信することが可能な送信増幅器を提供することを目的とする。
【課題を解決するための手段】
【００２０】
上記目的を達成するため、本発明では、送信対象となる信号のピーク電力を抑圧して電力調整するゲイン制御部を有する送信増幅器において、次のような構成とした。
すなわち、前記ゲイン制御部では、ピーク電力抑圧手段が、前記送信対象となる信号のピーク電力を抑圧する。第１の平均電力測定手段が、前記ピーク電力抑圧手段に入力される信号の平均電力をシンボル単位（１シンボル単位、本構成例において他の箇所も同様）で測定する。第２の平均電力測定手段が、前記ピーク電力抑圧手段から出力される信号の平均電力をシンボル単位で測定する。ゲイン値計算手段が、前記第１の平均電力測定手段により測定された平均電力と前記第２の平均電力測定手段により測定された平均電力との比をシンボル単位で計算し、計算された比に応じて平均電力補正のためのゲイン値をシンボル単位で計算する。電力調整手段が、前記ゲイン値計算手段により計算されたシンボル単位のゲイン値に基づいて、シンボル単位で電力調整に使用するゲイン値を切り替えて、前記ピーク電力抑圧手段から出力された信号の電力を調整する。
従って、シンボル単位（１シンボル単位）の高精度なゲイン制御を行うことができ、これにより、例えば従来技術と比べて、より品質が高い送信信号を送信することが可能である。
【００２１】
ここで、送信対象となる信号としては、種々な信号が用いられてもよい。
また、信号のピーク電力を抑圧する方法としては、種々な方法が用いられてもよい。
また、平均電力の測定の方法としては、種々な方法が用いられてもよい。
また、２つの平均電力の比に応じたゲイン値としては、種々な数式等により求められてもよい。
また、所定の単位（本例では、シンボル単位）で電力調整に使用するゲイン値を切り換える態様としては、例えば、連続する所定の単位で電力調整に使用するゲイン値が同一である場合には、必ずしも切り替えられなくてもよい。
【００２２】
以下で、他の構成例（構成例１）〜（構成例２）を示す。
（構成例１）
「送信対象となる信号のピーク電力を抑圧して電力調整するゲイン制御部を有する送信増幅器において、
１フレームの区間を、それぞれシンボル単位（１シンボル単位）の整数倍となる複数の区間に分割して、これら各区間をゲイン制御の単位となる区間とし、
前記ゲイン制御部は、前記送信対象となる信号のピーク電力を抑圧するピーク電力抑圧手段と、
前記ピーク電力抑圧手段に入力される信号の平均電力を前記した各区間毎の単位で測定する第１の平均電力測定手段と、
前記ピーク電力抑圧手段から出力される信号の平均電力を前記した各区間毎の単位で測定する第２の平均電力測定手段と、
前記第１の平均電力測定手段により測定された平均電力と前記第２の平均電力測定手段により測定された平均電力との比を前記した各区間毎の単位で計算し、計算された比に応じて平均電力補正のためのゲイン値を前記した各区間毎の単位で計算するゲイン値計算手段と、
前記ゲイン値計算手段により計算された前記した各区間毎の単位のゲイン値に基づいて、前記した各区間毎の単位で電力調整に使用するゲイン値を切り替えて、前記ピーク電力抑圧手段から出力された信号の電力を調整する電力調整手段と、を備えた、
ことを特徴とする送信増幅器。」
ここで、１フレームの区間を、それぞれシンボル単位（１シンボル単位）の整数倍となる複数の区間に分割した場合における、各区間の長さとしては種々なものが用いられてもよい。
【００２３】
（構成例２）
上記した（構成例１）において、１フレームの区間が分割されて設けられる複数の区間のそれぞれの長さが等しい場合を示す。なお、各区間の長さが１シンボル分となる場合（Ｍ＝１の場合）には、シンボル単位（１シンボル単位）を用いる構成例と同様となる。
「送信対象となる信号のピーク電力を抑圧して電力調整するゲイン制御部を有する送信増幅器において、
Ｍが１以上で１フレームに含まれるシンボルの数より１つ小さい数以下であるとし、ゲイン制御の単位となる区間として連続したＭ個のシンボルに相当する区間が設定され、
前記ゲイン制御部は、前記送信対象となる信号のピーク電力を抑圧するピーク電力抑圧手段と、
前記ピーク電力抑圧手段に入力される信号の平均電力を前記区間の単位で測定する第１の平均電力測定手段と、
前記ピーク電力抑圧手段から出力される信号の平均電力を前記区間の単位で測定する第２の平均電力測定手段と、
前記第１の平均電力測定手段により測定された平均電力と前記第２の平均電力測定手段により測定された平均電力との比を前記区間の単位で計算し、計算された比に応じて平均電力補正のためのゲイン値を前記区間の単位で計算するゲイン値計算手段と、
前記ゲイン値計算手段により計算された前記区間の単位のゲイン値に基づいて、前記区間の単位で電力調整に使用するゲイン値を切り替えて、前記ピーク電力抑圧手段から出力された信号の電力を調整する電力調整手段と、を備えた、
ことを特徴とする送信増幅器。」
【発明の効果】
【００２４】
以上説明したように、本発明に係る送信増幅器によると、ゲイン制御部において、送信信号のピーク電力を抑圧するに際して、所定の単位（特に、１シンボル単位）で平均電力測定やゲイン値計算や電力調整を行うようにしたため、高精度なゲイン制御を行うことができ、これにより、例えば従来技術と比べて、より品質が高い送信信号を送信することが可能である。
【発明を実施するための最良の形態】
【００２５】
本発明に係る実施例を図面を参照して説明する。
【実施例１】
【００２６】
本発明の第１実施例を説明する。
図１には、本発明の一実施例に係るＯＦＤＭ方式を使用して無線送信を行うための送信増幅器に設けられたゲイン制御部の構成例を示してある。
本例のゲイン制御部は、平均電力測定部１と、ピーク電力抑圧部２と、平均電力測定部３と、ＣＰＵ４と、電力調整部５と、シンボル開始タイミング生成部６を備えている。
【００２７】
本例のゲイン制御部において行われる動作の一例を示す。
本例のゲイン制御部には、複素数のＩ成分及びＱ成分から構成される送信対象となる信号（送信信号）が入力され、当該信号が平均電力測定部１及びピーク電力抑圧部２に入力される。
また、本例のゲイン制御部では、例えば送信増幅器のフレーム処理部など（図示せず）から出力されるフレーム開始タイミング信号が、シンボル開始タイミング生成部６に入力される。フレーム開始タイミング信号としては、例えば、フレームの先頭でパルスが発生するような信号が用いられる。
【００２８】
シンボル開始タイミング生成部６は、入力されたフレーム開始タイミング信号を基準として、２個の平均電力測定部１、３や電力調整部５へ、これらの処理部１、３、５がシンボル毎の制御を行うための制御信号となるシンボル開始タイミング信号を生成して出力する。
平均電力測定部１は、シンボル開始タイミング生成部６から入力されたシンボル開始タイミング信号に基づいて、入力信号（ピーク電力抑圧部２への入力信号と同じもの）の平均電力（本例では、平均電力を求めるための情報）をシンボル単位で測定し、その結果をＣＰＵ４へ出力する。
【００２９】
ピーク電力抑圧部２は、入力信号のピーク電力を検出して指定のレベル（例えば、予め設定されたレベル）まで抑圧し、これによりＰＡＰＲが低減された信号（Ｉ、Ｑ信号）を平均電力測定部３及び電力調整部５へ出力する。
平均電力測定部３は、シンボル開始タイミング生成部６から入力されたシンボル開始タイミング信号に基づいて、ピーク電力抑圧部２から入力された信号の平均電力（本例では、平均電力を求めるための情報）をシンボル単位で測定し、その結果をＣＰＵ４へ出力する。
【００３０】
ＣＰＵ４は、平均電力測定部１から入力された情報と平均電力測定部３から入力された情報に基づいて、これらの情報に基づく平均電力値の比をシンボル毎に計算し、電力調整部５に設定するためのシンボル毎のゲイン値を求めて（演算して）、求めたシンボル毎のゲイン値を電力調整部５へ出力して設定する。
電力調整部５は、ＣＰＵ４により設定されたゲイン値を、ピーク電力抑圧部２から入力された信号（送信信号）に乗算し、これによりピーク電力抑圧部２の入出力の電力差が無くなるように（或いは、実用上で有効な程度で小さくなるように）電力を調整し、調整後の送信信号を出力する。
ゲイン制御部の電力調整部５から出力された信号は、例えば、送信増幅器の送信処理部（図示せず）によりアンテナ（図示せず）から無線送信される。
【００３１】
図２には、平均電力測定部１、３の内部の構成例を示してある。ここで、本例では、２個の平均電力測定部１、３の構成や動作は同様であるため、まとめて説明する。
本例の平均電力測定部１、３は、瞬時電力演算部１１と、累加算部１２と、スイッチ１３と、ビットシフト部１４と、累加算値格納レジスタ１５を備えている。
累加算部１２、スイッチ１３、累加算値格納レジスタ１５には、シンボル開始タイミング生成部６からのシンボル開始タイミング信号が入力される。
【００３２】
平均電力測定部１、３において行われる動作の一例を示す。
入力信号（Ｉ、Ｑ信号）が瞬時電力演算部１１に入力される。
瞬時電力演算部１１は、１サンプル毎に瞬時電力（本例では、Ｉ２＋Ｑ２）を演算し、その結果（瞬時電力の値）を累加算部１２へ出力する。
累加算部１２は、瞬時電力演算部１１から入力される瞬時電力値について、指定された（例えば、予め設定された）サンプル数（１シンボル内のサンプル行い数）の累加算を、その結果（累加算の値）をスイッチ１３へ出力する。この場合に、累加算部１２は、入力されるシンボル開始タイミング信号に基づくシンボル開始タイミングで、累加算値をクリアする。
【００３３】
スイッチ１３は、入力されるシンボル開始タイミング信号に基づいて、累加算部１２による１シンボル区間の累加算が終了するたびにスイッチを閉じ、累加算部１２から入力される累加算値をビットシフト部１４へ出力する。
ビットシフト部１４は、累加算部１２からスイッチ１３を介して入力される１シンボル毎の累加算値について、累加算値の下位ビットを切り捨てて、ビット数の調整を行い、その結果（ビット数調整後の累加算値）を累加算値格納レジスタ１５へ出力する。
【００３４】
ここで、一般に、累加算結果は大きな値となり、精度が劣化しない範囲で下位ビットを削ると都合がよいことから、本例ではそのような構成としたが、必ずしもビットシフトを行う必要はなく、必要に応じて行えばよい。ビットシフトを行わない場合には、ビットシフト部１４が設けられなくてよい。
【００３５】
累加算値格納レジスタ１５は、例えばメモリから構成されており、ビットシフト部１４から入力されたシンボル毎の累加算値を格納する。具体例として、シンボルの番号（Ｎｏ．）と累加算値とを対応付けてテーブルに格納する。
【００３６】
平均電力測定部１、３では、１フレームの全シンボルに対して累加算処理が完了してメモリ（本例では、累加算値格納レジスタ１５）に書き込み（ＷＲＩＴＥ）されたら、累加算終了を知らせる割り込み信号をCPU４に与え、これに応じてＣＰＵ４は各シンボルの累加算値をメモリから読み出して（ＲＥＡＤして）、累加算を行ったサンプル数で除算することにより、各シンボルの平均電力を計算する。
【００３７】
ここで、ＣＰＵ４では、例えば、電力比を計算するだけである場合には、必ずしも累加算サンプル数での除算処理は必要ない。
なお、ここで得られた平均電力値は真値であるが、ＣＰＵ４は必要に応じて平均電力値をｄＢｍ値に変換してもよく、都合の良い計算方法を用いてもよい。
【００３８】
ＣＰＵ４により電力調整部５に設定するゲイン値の計算方法の一例を示す。
計算されたピーク電力抑圧部２の入出力におけるある特定シンボルの（ｄＢｍ値ではなく）真値の平均電力値をそれぞれＰｉｎ、Ｐｏｕｔとする。また、設定ゲインのデータ・フォーマットの一例として、電力調整部５に設定するゲイン値は符号なし１６ｂｉｔ（ビット）のｉｎｔ型データで表現し、０ｘ８０００をゲイン０ｄＢとし、設定可能なゲインの最大値は０ｘＦＦＦＦで＋６ｄＢであるとする。このとき、電力調整部５に設定されるゲイン値Ｇａｉｎは（式１）で計算される。なお、ｓｑｒｔ（）は、ルート２を表す。
（数１）
Ｇａｉｎ＝３２７６８  ×  ｓｑｒｔ（Ｐｉｎ／Ｐｏｕｔ）
・・（式１）
【００３９】
図３を参照して、ＣＰＵ４によるゲイン値の計算から電力調整部５への設定までの処理の一例を示す。
入力側の平均電力測定部１の累加算値格納レジスタ１５ａ（メモリ）には、ピーク電力抑圧部２への入力について計算された累加算値が格納される。
出力側の平均電力測定部３の累加算値格納レジスタ１５ｂ（メモリ）には、ピーク電力抑圧部２からの出力について計算された累加算値が格納される。
ＣＰＵ４は、これら２個のメモリからシンボル毎の累加算値を読み出し（ＲＥＡＤし）、ゲイン値の計算として、除算及びルート演算処理３１によりｓｑｒｔ（累加算値１／累加算値２）を計算して、正規化処理３２により正規化し、これによりシンボル毎のゲイン値を計算して、電力調整部５のメモリに構成された当該電力調整部５に設定するゲイン値を格納するレジスタ（ゲイン値格納レジスタ）２１に書き込む（ＷＲＩＴＥする）。
【００４０】
図４には、電力調整部５の内部の構成例を示してある。
電力調整部５は、ゲイン値格納レジスタ２１と、電力調整処理部４１を備えている。電力調整処理部４１には、２個の乗算器５１、５２を備えている。
メモリに構成されたゲイン値格納レジスタ２１には、ＣＰＵ４が計算したシンボル毎の電力補正のためのゲイン値（電力補正ゲイン値）が格納される。
電力調整処理部４１は、送信信号のＩＱデータと電力補正ゲイン値とを乗算する２個の乗算器５１、５２により構成されており、送信信号のＩＱデータに電力補正ゲイン値を乗算して、その結果である電力が調整されたＩＱデータを出力する。ここで、電力調整処理部４１では、シンボル開始タイミング生成部６から入力されるシンボル開始タイミング信号を基準として、使用する電力補正ゲイン値を各シンボル毎に対応するゲイン値に切り替える。
【００４１】
シンボル開始タイミング生成部６の詳細を説明する。
図５には、シンボル開始タイミング生成部６で行われる処理の様子の一例を示してある。具体的には、フレーム開始タイミング信号とシンボル開始タイミング信号を表す時間軸波形の一例を示してある。
図５に示されるように、シンボル開始タイミング生成部６は、入力されたフレーム開始タイミング信号を基準として、各フレーム内の各シンボルの開始タイミングでパルスが発生するようなシンボル開始タイミング信号を生成して出力する。
【００４２】
ここで、シンボル開始タイミング信号のパルスは、フレーム開始タイミング信号のパルスとカウンタを用いることで、生成することができる。例えば、フレーム開始タイミング信号のパルスをトリガとして、カウンタのカウントアップを開始し、１シンボル分に相当する規定のカウント値（例えば、カウントアップに用いるクロック周波数とデータのサンプリング・レートにより決定される）に達したらシンボル開始タイミング信号となるパルスを発生させて、カウンタをクリアする。これを１フレーム内で規定のシンボル数分だけ繰り返して行う。シンボル開始タイミング生成部６により生成されたシンボル開始タイミング信号は、２個の平均電力測定部１、３と電力調整部５に入力され、各機能におけるシンボル単位の制御（例えば、累加算値のクリアやゲイン値の切り替えなど）に用いられる。
【００４３】
以上のように、本例の送信増幅器のゲイン制御部では、ピーク電力抑圧による平均電力の低下をシンボル単位で補正するものであり、送信信号のピーク電力を検出して希望のＰＡＰＲレベルまで抑圧するピーク電力抑圧部２と、ピーク電力抑圧部２への入力信号の平均電力をシンボル単位で測定するための第１の平均電力測定部１と、ピーク電力抑圧部２からの出力信号の平均電力をシンボル単位で測定するための第２の平均電力測定部３と、第１の平均電力測定部１と第２の平均電力測定部３による測定結果に基づいて平均電力の比をシンボル単位で計算し、計算された平均電力の比に応じて平均電力補正のためのゲイン値をシンボル単位で決定し、決定したゲイン値を電力調整部５に設定するＣＰＵ４（ゲイン値計算部）と、ＣＰＵ４により設定されたシンボル毎のゲイン値に基づいてピーク電力抑圧部２からの出力の平均電力をシンボル単位でゲイン値を切り替えて調整する電力調整部５を備えた。
【００４４】
従って、本例の送信増幅器のゲイン制御部では、例えば、シンボル毎に平均電力が異なる送信信号に対してピーク電力抑圧を行い、平均電力の低下量がシンボル単位で大きく異なるような場合においても、本例のようなゲイン制御を用いることにより、ピーク電力抑圧前の電力特性を復元することができ、信号品質が良好な信号を送信することが可能となる。
【００４５】
なお、本例の送信増幅器のゲイン制御部では、ピーク電力抑圧部２の機能によりピーク電力抑圧手段が構成されており、シンボル開始タイミング生成部６や平均電力測定部１やＣＰＵ４の機能により第１の平均電力測定手段が構成されており、シンボル開始タイミング生成部６や平均電力測定部３やＣＰＵ４の機能により第２の平均電力測定手段が構成されており、ＣＰＵ４の機能によりゲイン値計算手段が構成されており、シンボル開始タイミング生成部６や電力調整部５の機能により電力調整手段が構成されている。
【実施例２】
【００４６】
本発明の第２実施例を説明する。
本実施例では、上記した第１実施例の場合とは異なる点について詳しく説明する。
上記した第１実施例では、ゲイン制御を１シンボル毎に実施するが、本例では、１シンボルを最小単位とした複数区間毎のゲイン制御を行う。
この場合、上記した第１実施例と同様な構成において、例えば、ＣＰＵ４によるゲイン値計算とゲイン値設定処理について、次のような変更を加えることで実現することができる。
【００４７】
すなわち、ＣＰＵ４は、平均電力測定部１、３からシンボル毎の累加算値を受け取ったら、同一区間に含まれる全てのシンボルの累加算値の加算を行い、区間毎の累加算値を求める。次に、区間毎に電力補正のためのゲイン値を計算する。そして、電力調整部５へのゲイン値の設定では、同一区間内で共通のゲイン値を設定する。これにより、ハードウエア的な変更をせずに、ＣＰＵ４による処理の方法（ソフトウエア）を変更するだけで、本例のゲイン制御を実現することができる。
なお、これは一実施例であり、他の構成例として、各区間の開始タイミング信号を生成して、これに基づいて、平均電力の測定や電力調整部５のゲイン値切り替えを区間毎に行うような構成を用いることも可能である。
【００４８】
以上のように、本例の送信増幅器のゲイン制御部では、ピーク電力抑圧による平均電力の低下を決められた区間単位で補正するものである。ゲイン値制御の単位となる区間については、１シンボルを最小単位として、連続したＭ（Ｍの最小値は１とし、Ｍの最大値は１フレームに含まれるシンボル数−１とする）シンボルを１つの区間として１フレームを２つ以上の複数区間に分割して決められる。そして、送信信号のピーク電力を検出して希望のＰＡＰＲレベルまで抑圧するピーク電力抑圧部２と、ピーク電力抑圧部２への入力信号の平均電力を決められた区間毎に測定するための第１の平均電力測定部１と、ピーク電力抑圧部２からの出力信号の平均電力を決められた区間毎に測定するための第２の平均電力測定部３と、第１の平均電力測定部１と第２の平均電力測定部３による測定結果に基づいて平均電力の比を決められた区間毎に計算し、計算された平均電力の比に応じて平均電力補正のためのゲイン値を決められた区間毎に決定し、決定されたゲイン値を電力調整部５に設定するＣＰＵ４（ゲイン値計算部）と、ＣＰＵ４により設定された区間毎のゲイン値に基づいてピーク電力抑圧部２からの出力の平均電力を決められた区間毎にゲイン値を切り替えて調整する電力調整部５を備えた。
【００４９】
従って、本例の送信増幅器のゲイン制御部では、例えば、所定の期間毎に平均電力が異なる送信信号に対してピーク電力抑圧を行い、平均電力の低下量が前記所定の期間単位で大きく異なるような場合においても、本例のようなゲイン制御を用いることにより、ピーク電力抑圧前の電力特性を復元することができ、信号品質が良好な信号を送信することが可能となる。
【実施例３】
【００５０】
本発明の第３実施例を説明する。
図６には、本発明の一実施例に係る送信増幅器の構成例を示してある。
なお、図１ではＩ信号とＱ信号を別々の線で示したが、図６ではこれらをまとめて１本の線で示してある。
本例の送信増幅器は、図１に示されるのと同様な処理部として、平均電力測定部１、ピーク電力抑圧部２、平均電力測定部３、ＣＰＵ４、電力調整部５、シンボル開始タイミング生成部６を備えており、更に、非線形歪補償部６１と、Ｄ／Ａ（Ｄｉｇｉｔａｌ  ｔｏ  Ａｎａｌｏｇ）コンバータ６２と、周波数変換部６３と、電力増幅部６４を備えている。
ここで、図１に示されるのと同様な処理部１〜６の構成や動作としては、例えば、上記した第１実施例或いは上記した第２実施例の場合と同様であるため、本例では、説明を省略する。
【００５１】
電力調整部５から出力される電力調整後の送信信号が、非線形歪補償部６１に入力される。
非線形歪補償部６１は、電力調整部５から入力された信号について、電力増幅部６４で発生する非線形歪を例えばＬＵＴ（Ｌｏｏｋ  Ｕｐ  Ｔａｂｌｅ）を用いて補償し、その結果の信号をＤ／Ａコンバータ６２へ出力する。
Ｄ／Ａコンバータ６２は、非線形歪補償部６１から入力された信号をデジタル信号からアナログ信号へ変換して、周波数変換部６３へ出力する。
【００５２】
周波数変換部６３は、Ｄ／Ａコンバータ６２から入力された信号をベースバンド帯若しくは中間周波数（ＩＦ：Ｉｎｔｅｒｍｅｄｉａｔｅ  Ｆｒｅｑｕｅｎｃｙ）帯の信号から希望の無線周波数（ＲＦ：Ｒａｄｉｏ  Ｆｒｅｑｕｅｎｃｙ）帯の信号へ周波数変換（アップコンバート）して、電力増幅部６４へ出力する。
電力増幅部６４は、周波数変換部６３から入力された信号を電力増幅して希望の電力の信号として出力する。この出力信号は、例えば、アンテナ（図示せず）から無線送信される。
【００５３】
ここで、非線形歪補償部６１により行われる非線形歪補償処理の方法としては、特に限定は無く、様々な方法が用いられてもよい。
また、必要に応じて、非線形歪補償のために、電力増幅部６４からの出力信号の一部をフィードバックして、歪電力の解析に用いるような構成としてもよい。
【００５４】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００５５】
【図１】本発明の一実施例に係る送信増幅器のゲイン制御部の構成例を示す図である。
【図２】平均電力測定部の構成例を示す図である。
【図３】ＣＰＵによるゲイン値の計算から電力調整部への設定までの処理の一例を示す図である。
【図４】電力調整部の構成例を示す図である。
【図５】シンボル開始タイミング生成部で行われる処理の様子の一例を示す図である。
【図６】本発明の一実施例に係る送信増幅器の構成例を示す図である。
【図７】従来技術に係る送信増幅器のゲイン制御部の構成例を示す図である。
【図８】１キャリアのＷｉＭＡＸテスト信号に対してシンボル毎に平均電力を計算した結果の一例を示す図である。
【図９】１キャリアのＷｉＭＡＸテスト信号の時間対電力波形の一例を示す図である。
【図１０】ＷｉＭＡＸテスト信号のダウンリンク・データの２９シンボル区間におけるＣＣＤＦ曲線を１キャリア信号と２キャリア信号で取得した結果の一例を示す図である。
【図１１】ＷｉＭＡＸテスト信号のＰｒｅａｍｂｌｅの１シンボルだけの区間におけるＣＣＤＦ曲線を１キャリア信号と２キャリア信号で取得した結果の一例を示す図である。
【図１２】（ａ）は１キャリア信号に対してターゲットＰＡＰＲ＝８．０ｄＢでピーク電力抑圧による平均電力低下量を求めた計算機シミュレーション結果の一例を示す図であり、（ｂ）は１キャリア信号に対してターゲットＰＡＰＲ＝７．５ｄＢでピーク電力抑圧による平均電力低下量を求めた計算機シミュレーション結果の一例を示す図であり、（ｃ）は２キャリア信号に対してターゲットＰＡＰＲ＝８．０ｄＢでピーク電力抑圧による平均電力低下量を求めた計算機シミュレーション結果の一例を示す図であり、（ｄ）は２キャリア信号に対してターゲットＰＡＰＲ＝８．０ｄＢでピーク電力抑圧による平均電力低下量を求めた計算機シミュレーション結果の一例を示す図である。
【符号の説明】
【００５６】
１、３、１０１、１０３・・平均電力測定部、  ２、１０２・・ピーク電力抑圧部、  ４、１０４・・ＣＰＵ、  ５、１０５・・電力調整部、  ６・・シンボル開始タイミング生成部、  １１・・瞬時電力演算部、  １２・・累加算部、  １３・・スイッチ、  １４・・ビットシフト部、  １５、１５ａ、１５ｂ・・累加算値格納レジスタ、  ２１・・ゲイン値格納レジスタ、  ３１・・除算及びルート演算処理、  ３２・・正規化処理、  ４１・・電力調整処理部、  ５１、５２・・乗算器、  ６１・・非線形歪補償部、  ６２・・Ｄ／Ａコンバータ、  ６３・・周波数変換部、  ６４・・電力増幅部、
【図１】
2010154017.tif 000003
【図２】
2010154017.tif 000004
【図３】
2010154017.tif 000005
【図４】
2010154017.tif 000006
【図５】
2010154017.tif 000007
【図６】
2010154017.tif 000008
【図７】
2010154017.tif 000009
【図８】
2010154017.tif 000010
【図９】
2010154017.tif 000011
【図１０】
2010154017.tif 000012
【図１１】
2010154017.tif 000013
【図１２】
2010154017.tif 000014